【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】
特典を付与する特定の番組の放送ならびに前記特定の番組が放送されるチャンネルおよび時間帯と前記特典の応募期間とを含む付加情報の放送を行う放送手段を有する第１装置と、
前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システム。
【請求項２】
前記ＩＤは、それに対して所定の演算を施すことにより前記受信時間または前記有効期限が逆算して得られるものである請求項１に記載の番組配信システム。
【請求項３】
特典を付与する特定の番組の放送ならびに前記特典の応募期間を含む付加情報の放送を行う放送手段を有する第１装置と、
前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記再生時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システム。
【請求項４】
前記ＩＤは、それに対して所定の演算を施すことにより前記再生時間または前記有効期限が逆算して得られるものである請求項３に記載の番組配信システム。
【請求項５】
前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする請求項３に記載の番組配信システム。
【請求項６】
特典を付与する特定の番組ならびに前記特典の応募期間を含む付加情報が記録された記録媒体を再生する再生手段と
前記再生手段が前記特定の番組を再生した再生時間と前記応募期間とから、前記特典の有効期限を演算する有効期間演算手段と、
前記再生時間または前記有効期限に基づき前記特典を得るためのＩＤを算出するＩＤ算出手段と、少なくとも前記有効期限を含む前記特典に関する情報を表示させる表示手段とを備えた番組再生装置。
【請求項７】
前記ＩＤは、それに対して所定の演算を施すことにより前記再生時間または前記有効期限が逆算して得られるものである請求項６に記載の番組再生装置。
【請求項８】
前記表示手段は、前記ＩＤも表示させることができる請求項６に記載の番組再生装置。
【請求項９】
第２装置が受信する、特典を付与する特定の番組の放送ならびに前記特定の番組が放送されるチャンネルおよび時間帯と前記特典の応募期間とを含む付加情報の放送を行う放送手段を備えた第１装置であって、
前記第２装置は、前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置。
【請求項１０】
前記第２装置から前記ＩＤを受けて、前記受信時間または前記有効期限を逆算する逆算手段を備えた請求項９に記載の第１装置。
【請求項１１】
第２装置が受信する、特典を付与する特定の番組の放送ならびに前記特典の応募期間を含む付加情報の放送を行う放送手段を備えた第１装置であって、
前記第２装置は、前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置。
【請求項１２】
前記第２装置から前記ＩＤを受けて、前記再生時間または前記有効期限を逆算する逆算手段を備えた請求項１１に記載の第1装置。
【請求項１３】
前記付加情報の放送は、前記特定の番組の最初の放送日時までに行われる請求項９または１１に記載の第１装置。
【請求項１４】
前記記録媒体に記録された付加情報には、前記特定の番組が再生されるべき期間が含まれ、
前記有効期間演算手段は、再生手段が前記特定の番組を再生した時間が前記特定の番組が再生されるべき期間に含まれていると判断した場合に、前記有効期限を演算する請求項６に記載の番組再生装置。
【請求項１５】
特典を付与する特定の番組の放送ならびに前記特定の番組が放送されるチャンネルおよび時間帯と前記特典の応募期間とを含む付加情報の放送を行う放送手段を有する第１装置から放送される、前記特定の番組ならびに前記付加情報を受信する第２装置であって、
前記放送を受信して、前記付加情報を記憶するメモリ手段と、
前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、
前記チェックの結果、前記特定の番組を受信していると判断した場合は、その受信時間と前記メモリ手段に記憶された付加情報の応募期間とから、前記特典の有効期限を演算する有効期間演算手段と、
前記受信時間または前記有効期限に基づき前記特典を得るためのＩＤを算出するＩＤ算出手段と、
少なくとも前記有効期限を含む前記特典に関する情報を表示させる表示手段とを備えた第２装置。
【請求項１６】
前記ＩＤは、それに対して所定の演算を施すことにより前記受信時間または前記有効期限が逆算して得られるものである請求項１５に記載の第２装置。
【請求項１７】
特典を付与する特定の番組の放送ならびに前記特典の応募期間を含む付加情報の放送を行う放送手段を有する第１装置から放送される、前記特定の番組ならびに前記付加情報を受信する第２装置であって、
前記放送を受信して、前記付加情報を記憶するメモリ手段と、
前記放送を受信して、前記特定の番組を記録する記録手段と、
前記記録された特定の番組が再生されているかどうかをチェックするチェック手段と、
前記チェックの結果、前記特定の番組を再生していると判断した場合は、その再生時間と前記メモリ手段に記憶された前記付加情報の応募期間とから、前記特典の有効期限を演算する有効期間演算手段と、
前記再生時間または前記有効期限に基づき前記特典を得るためのＩＤを算出するＩＤ算出手段と、
少なくとも前記有効期限を含む前記特典に関する情報を表示させる表示手段とを備えた第２装置。
【請求項１８】
前記ＩＤは、それに対して所定の演算を施すことにより前記再生時間または前記有効期限が逆算して得られるものである請求項１７に記載の第２装置。
【請求項１９】
前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする請求項１７に記載の第２装置。
【請求項２０】
前記表示手段は、前記ＩＤも表示させることができる請求項１５または１７に記載の第２装置。
【請求項２１】
特典を付与する特定の番組の放送ならびに前記特定の番組が放送されるチャンネルおよび時間帯と前記特典の応募期間とを含む付加情報の放送を行う放送工程と、
前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組配信方法。
【請求項２２】
前記ＩＤは、それに対して所定の演算を施すことにより前記受信時間または前記有効期限が逆算して得られるものである請求項２１に記載の番組配信方法。
【請求項２３】
特典を付与する特定の番組の放送ならびに前記特典の応募期間を含む付加情報の放送を行う放送工程と、
前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組配信方法。
【請求項２４】
前記ＩＤは、それに対して所定の演算を施すことにより前記再生時間または前記有効期限が逆算して得られるものである請求項２３に記載の番組配信方法。
【請求項２５】
特典を付与する特定の番組ならびに前記特典の応募期間を含む付加情報が記録された記録媒体を再生する再生工程と
前記特定の番組を再生した再生時間と前記応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法。
【請求項２６】
前記ＩＤは、それに対して所定の演算を施すことにより前記再生時間または前記有効期限が逆算して得られるものである請求項２５に記載の番組再生方法。
【請求項２７】
特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組受信方法。
【請求項２８】
特典を付与する特定の番組の放送ならびに前記特典の応募期間を含む付加情報の放送を行う放送手段を有する第１装置からの前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法。
【請求項２９】
請求項２５に記載の番組再生方法の、特典を付与する特定の番組ならびに前記特典の応募期間を含む付加情報が記録された記録媒体を再生する前記再生工程と、前記特定の番組を再生した再生時間と前記応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３０】
請求項２７に記載の番組受信方法の、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する前記記憶工程と、前記特定の番組が受信されているかどうかを、現在受信している番組のチャンネルと時間帯とが前記記憶された付加情報のチャンネルおよび時間帯と一致するかどうかでチェックする前記チェック工程と、前記チェックの結果、前記特定の番組を受信していると判断した場合は、その受信時間と前記記憶された付加情報の応募期間とから、前記特典の有効期限を演算する前記有効期間演算工程と、前記受信時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３１】
請求項２８に記載の番組再生方法の、特典を付与する特定の番組の放送ならびに前記特典の応募期間を含む付加情報の放送を行う放送手段を有する第１装置からの前記放送を受信して、前記付加情報を記憶する前記記憶工程と、前記放送を受信して、前記特定の番組を記録する前記記録工程と、前記記録された特定の番組が再生されているかどうかをチェックする前記チェック工程と、前記チェックの結果、前記特定の番組を再生していると判断した場合は、その再生時間と前記記憶された付加情報の応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラム。
【請求項３２】
請求項２９から３１のいずれかに記載のプログラムを記録した記録媒体であって、コンピュータにより処理可能な記録媒体。
【手続補正２】
【補正対象書類名】明細書
【補正対象項目名】００１１
【補正方法】変更
【補正の内容】
【００１１】
【課題を解決するための手段】
上記の目的を達成するために、第１の本発明は、特典を付与する特定の番組の放送ならびに前記特定の番組が放送されるチャンネルおよび時間帯と前記特典の応募期間とを含む付加情報の放送を行う放送手段を有する第１装置と、
前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システムである。
【手続補正３】
【補正対象書類名】明細書
【補正対象項目名】００１２
【補正方法】変更
【補正の内容】
【００１２】
また、第２の本発明は、前記ＩＤは、それに対して所定の演算を施すことにより前記受信時間または前記有効期限が逆算して得られるものである第１の本発明の番組配信システムである。
【手続補正４】
【補正対象書類名】明細書
【補正対象項目名】００１３
【補正方法】変更
【補正の内容】
【００１３】
また、第３の本発明は、特典を付与する特定の番組の放送ならびに前記特典の応募期間を含む付加情報の放送を行う放送手段を有する第１装置と、
前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記再生時間または前記有効期限に基づき前記特典を得るためのＩＤを算出するＩＤ算出手段と、少なくとも前記有効期限を含む前記特典に関する情報を表示させる表示手段とを有する第２装置とを備えた番組配信システムである。
【手続補正５】
【補正対象書類名】明細書
【補正対象項目名】００１４
【補正方法】変更
【補正の内容】
【００１４】
また、第４の本発明は、前記ＩＤは、それに対して所定の演算を施すことにより前記再生時間または前記有効期限が逆算して得られるものである第３の本発明の番組配信システムである。
【手続補正６】
【補正対象書類名】明細書
【補正対象項目名】００１５
【補正方法】変更
【補正の内容】
【００１５】
また、第５の本発明は、前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする第３の本発明の番組配信システムである。
【手続補正７】
【補正対象書類名】明細書
【補正対象項目名】００１６
【補正方法】変更
【補正の内容】
【００１６】
また、第６の本発明は、特典を付与する特定の番組ならびに前記特典の応募期間を含む付加情報が記録された記録媒体を再生する再生手段と
前記再生手段が前記特定の番組を再生した再生時間と前記応募期間とから、前記特典の有効期限を演算する有効期間演算手段と、
前記再生時間または前記有効期限に基づき前記特典を得るためのＩＤを算出するＩＤ算出手段と、少なくとも前記有効期限を含む前記特典に関する情報を表示させる表示手段とを備えた番組再生装置である。
【手続補正８】
【補正対象書類名】明細書
【補正対象項目名】００１７
【補正方法】変更
【補正の内容】
【００１７】
また、第７の本発明は、前記ＩＤは、それに対して所定の演算を施すことにより前記再生時間または前記有効期限が逆算して得られるものである第６の本発明の番組再生装置である。
【手続補正９】
【補正対象書類名】明細書
【補正対象項目名】００１８
【補正方法】変更
【補正の内容】
【００１８】
また、第８の本発明は、前記表示手段は、前記ＩＤも表示させることができる第６の本発明の番組再生装置である。
【手続補正１０】
【補正対象書類名】明細書
【補正対象項目名】００１９
【補正方法】変更
【補正の内容】
【００１９】
また、第９の本発明は、第２装置が受信する、特典を付与する特定の番組の放送ならびに前記特定の番組が放送されるチャンネルおよび時間帯と前記特典の応募期間とを含む付加情報の放送を行う放送手段を備えた第１装置であって、
前記第２装置は、前記放送を受信して、前記付加情報を記憶するメモリ手段と、前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、前記チェックの結果、前記特定の番組を受信していると判断した場合は、その受信時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置である。
【手続補正１１】
【補正対象書類名】明細書
【補正対象項目名】００２０
【補正方法】変更
【補正の内容】
【００２０】
また、第１０の本発明は、前記第２装置から前記ＩＤを受けて、前記受信時間または前記有効期限を逆算する逆算手段を備えた第９の本発明の第１装置である。
【手続補正１２】
【補正対象書類名】明細書
【補正対象項目名】００２１
【補正方法】変更
【補正の内容】
【００２１】
また、第１１の本発明は、第２装置が受信する、特典を付与する特定の番組の放送ならびに前記特典の応募期間を含む付加情報の放送を行う放送手段を備えた第１装置であって、
前記第２装置は、前記放送を受信して、前記付加情報を記憶するメモリ手段と、前記放送を受信して、前記特定の番組を記録する記録手段と、前記記録された特定の番組が再生されているかどうかをチェックするチェック手段と、前記チェックの結果、前記特定の番組を再生していると判断した場合は、その再生時間と前記メモリ手段に記憶された前記付加情報の応募期間とから、前記特典の有効期限を演算する有効期間演算手段と、前記受信時間または前記有効期限に基づき前記特典を得るためのＩＤを算出するＩＤ算出手段と、少なくとも前記有効期限を含む前記特典に関する情報を表示させる表示手段とを有する、第１装置である。
【手続補正１３】
【補正対象書類名】明細書
【補正対象項目名】００２２
【補正方法】変更
【補正の内容】
【００２２】
また、第１２の本発明は、前記第２装置から前記ＩＤを受けて、前記再生時間または前記有効期限を逆算する逆算手段を備えた第１２の本発明の第１装置である。
【手続補正１４】
【補正対象書類名】明細書
【補正対象項目名】００２３
【補正方法】変更
【補正の内容】
【００２３】
また、第１３の本発明は、前記付加情報の放送は、前記特定の番組の最初の放送日時までに行われる第９または第１１の本発明の第１装置である。
【手続補正１５】
【補正対象書類名】明細書
【補正対象項目名】００２４
【補正方法】変更
【補正の内容】
【００２４】
また、第１４の本発明は、前記記録媒体に記録された付加情報には、前記特定の番組が再生されるべき期間が含まれ、
前記有効期間演算手段は、再生手段が前記特定の番組を再生した時間が前記特定の番組が再生されるべき期間に含まれていると判断した場合に、前記有効期限を演算する第６の本発明の番組再生装置である。
【手続補正１６】
【補正対象書類名】明細書
【補正対象項目名】００２５
【補正方法】変更
【補正の内容】
【００２５】
また、第１５の本発明は、特典を付与する特定の番組の放送ならびに前記特定の番組が放送されるチャンネルおよび時間帯と前記特典の応募期間とを含む付加情報の放送を行う放送手段を有する第１装置から放送される、前記特定の番組ならびに前記付加情報を受信する第２装置であって、
前記放送を受信して、前記付加情報を記憶するメモリ手段と、
前記特定の番組が受信されているかどうかを、現在受信している番組のチャンネルと時間帯とが前記メモリ手段に記憶された前記付加情報のチャンネルおよび時間帯と一致するかどうかでチェックするチェック手段と、
前記チェックの結果、前記特定の番組を受信していると判断した場合は、その受信時間と前記メモリ手段に記憶された付加情報の応募期間とから、前記特典の有効期限を演算する有効期間演算手段と、
前記受信時間または前記有効期限に基づき前記特典を得るためのＩＤを算出するＩＤ算出手段と、
少なくとも前記有効期限を含む前記特典に関する情報を表示させる表示手段とを備えた第２装置である。
【手続補正１７】
【補正対象書類名】明細書
【補正対象項目名】００２６
【補正方法】変更
【補正の内容】
【００２６】
また、第１６の本発明は、前記ＩＤは、それに対して所定の演算を施すことにより前記受信時間または前記有効期限が逆算して得られるものである第１５の本発明の第２装置である。
【手続補正１８】
【補正対象書類名】明細書
【補正対象項目名】００２７
【補正方法】変更
【補正の内容】
【００２７】
また、第１７の本発明は、特典を付与する特定の番組の放送ならびに前記特典の応募期間を含む付加情報の放送を行う放送手段を有する第１装置から放送される、前記特定の番組ならびに前記付加情報を受信する第２装置であって、
前記放送を受信して、前記付加情報を記憶するメモリ手段と、
前記放送を受信して、前記特定の番組を記録する記録手段と、
前記記録された特定の番組が再生されているかどうかをチェックするチェック手段と、
前記チェックの結果、前記特定の番組を再生していると判断した場合は、その再生時間と前記メモリ手段に記憶された前記付加情報の応募期間とから、前記特典の有効期限を演算する有効期間演算手段と、
前記再生時間または前記有効期限に基づき前記特典を得るためのＩＤを算出するＩＤ算出手段と、
少なくとも前記有効期限を含む前記特典に関する情報を表示させる表示手段とを備えた第２装置である。
【手続補正１９】
【補正対象書類名】明細書
【補正対象項目名】００２８
【補正方法】変更
【補正の内容】
【００２８】
また、第１８の本発明は、前記ＩＤは、それに対して所定の演算を施すことにより前記再生時間または前記有効期限が逆算して得られるものである第１７の本発明の第２装置である。
【手続補正２０】
【補正対象書類名】明細書
【補正対象項目名】００２９
【補正方法】変更
【補正の内容】
【００２９】
また、第１９の本発明は、前記付加情報は、さらに前記特定の番組が放送されるチャンネルおよび時間帯を含み、
前記記録手段は、さらに前記特定の番組を受信したチャンネルおよび時間帯を記録し、
前記チェック手段は、再生した前記チャンネルおよび時間帯が、前記メモリ手段に記憶された前記付加情報の前記チャンネルおよび時間帯と一致するかどうかでチェックする第１７の本発明の第２装置である。
【手続補正２１】
【補正対象書類名】明細書
【補正対象項目名】００３０
【補正方法】変更
【補正の内容】
【００３０】
また、第２０の本発明は、前記表示手段は、前記ＩＤも表示させることができる第１５または第１７の本発明の第２装置である。
【手続補正２２】
【補正対象書類名】明細書
【補正対象項目名】００３１
【補正方法】変更
【補正の内容】
【００３１】
また、第２１の本発明は、特典を付与する特定の番組の放送ならびに前記特定の番組が放送されるチャンネルおよび時間帯と前記特典の応募期間とを含む付加情報の放送を行う放送工程と、
前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組配信方法である。
【手続補正２３】
【補正対象書類名】明細書
【補正対象項目名】００３２
【補正方法】変更
【補正の内容】
【００３２】
また、第２２の本発明は、前記ＩＤは、それに対して所定の演算を施すことにより前記受信時間または前記有効期限が逆算して得られるものである第２１の本発明の番組配信方法である。
【手続補正２４】
【補正対象書類名】明細書
【補正対象項目名】００３３
【補正方法】変更
【補正の内容】
【００３３】
また、第２３の本発明は、特典を付与する特定の番組の放送ならびに前記特典の応募期間を含む付加情報の放送を行う放送工程と、
前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【手続補正２５】
【補正対象書類名】明細書
【補正対象項目名】００３４
【補正方法】変更
【補正の内容】
【００３４】
また、第２４の本発明は、前記ＩＤは、それに対して所定の演算を施すことにより前記再生時間または前記有効期限が逆算して得られるものである第２３の本発明の番組配信方法である。
【手続補正２６】
【補正対象書類名】明細書
【補正対象項目名】００３５
【補正方法】変更
【補正の内容】
【００３５】
また、第２５の本発明は、特典を付与する特定の番組ならびに前記特典の応募期間を含む付加情報が記録された記録媒体を再生する再生工程と
前記特定の番組を再生した再生時間と前記応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【手続補正２７】
【補正対象書類名】明細書
【補正対象項目名】００３６
【補正方法】変更
【補正の内容】
【００３６】
また、第２６の本発明は、前記ＩＤは、それに対して所定の演算を施すことにより前記再生時間または前記有効期限が逆算して得られるものである第２５の本発明の番組再生方法である。
【手続補正２８】
【補正対象書類名】明細書
【補正対象項目名】００３７
【補正方法】変更
【補正の内容】
【００３７】
また、第２７の本発明は、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する記憶工程と、
前記特定の番組が受信されているかどうかを、現在受信している番組のチャンネルと時間帯とが前記記憶された付加情報のチャンネルおよび時間帯と一致するかどうかでチェックするチェック工程と、
前記チェックの結果、前記特定の番組を受信していると判断した場合は、その受信時間と前記記憶された付加情報の応募期間とから、前記特典の有効期限を演算する有効期間演算工程と、
前記受信時間または前記有効期限に基づき前記特典を得るためのＩＤを算出するＩＤ算出工程と、
少なくとも前記有効期限を含む前記特典に関する情報を表示させる表示工程とを備えた番組受信方法である。
【手続補正２９】
【補正対象書類名】明細書
【補正対象項目名】００３８
【補正方法】変更
【補正の内容】
【００３８】
また、第２８の本発明は、特典を付与する特定の番組の放送ならびに前記特典の応募期間を含む付加情報の放送を行う放送手段を有する第１装置からの前記放送を受信して、前記付加情報を記憶する記憶工程と、
前記放送を受信して、前記特定の番組を記録する記録工程と、
前記記録された特定の番組が再生されているかどうかをチェックするチェック工程と、
前記チェックの結果、前記特定の番組を再生していると判断した場合は、その再生時間と前記記憶された付加情報の応募期間とから、前記特典の有効期限を演算する有効期間演算工程と、
前記再生時間または前記有効期限に基づき前記特典を得るためのＩＤを算出するＩＤ算出工程と、
少なくとも前記有効期限を含む前記特典に関する情報を表示させる表示工程とを備えた番組再生方法である。
【手続補正３０】
【補正対象書類名】明細書
【補正対象項目名】００３９
【補正方法】変更
【補正の内容】
【００３９】
また、第２９の本発明は、第２５の本発明の番組再生方法の、特典を付与する特定の番組ならびに前記特典の応募期間を含む付加情報が記録された記録媒体を再生する前記再生工程と、前記特定の番組を再生した再生時間と前記応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【手続補正３１】
【補正対象書類名】明細書
【補正対象項目名】００４０
【補正方法】変更
【補正の内容】
【００４０】
また、第３０の本発明は、第２７の本発明の番組受信方法の、特典を付与する特定の番組の放送ならびに前記特定の番組が放送されるチャンネルおよび時間帯と前記特典の応募期間とを含む付加情報の放送を行う放送手段を有する第１装置からの前記放送を受信して、前記付加情報を記憶する前記記憶工程と、前記特定の番組が受信されているかどうかを、現在受信している番組のチャンネルと時間帯とが前記記憶された付加情報のチャンネルおよび時間帯と一致するかどうかでチェックする前記チェック工程と、前記チェックの結果、前記特定の番組を受信していると判断した場合は、その受信時間と前記記憶された付加情報の応募期間とから、前記特典の有効期限を演算する前記有効期間演算工程と、前記受信時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【手続補正３２】
【補正対象書類名】明細書
【補正対象項目名】００４１
【補正方法】変更
【補正の内容】
【００４１】
また、第３１の本発明は、第２８の本発明の番組再生方法の、特典を付与する特定の番組の放送ならびに前記特典の応募期間を含む付加情報の放送を行う放送手段を有する第１装置からの前記放送を受信して、前記付加情報を記憶する前記記憶工程と、前記放送を受信して、前記特定の番組を記録する前記記録工程と、前記記録された特定の番組が再生されているかどうかをチェックする前記チェック工程と、前記チェックの結果、前記特定の番組を再生していると判断した場合は、その再生時間と前記記憶された付加情報の応募期間とから、前記特典の有効期限を演算する前記有効期間演算工程と、前記再生時間または前記有効期限に基づき前記特典を得るためのＩＤを算出する前記ＩＤ算出工程と、少なくとも前記有効期限を含む前記特典に関する情報を表示させる前記表示工程とをコンピュータに実行させるためのプログラムである。
【手続補正３３】
【補正対象書類名】明細書
【補正対象項目名】００４２
【補正方法】変更
【補正の内容】
【００４２】
また、第３２の本発明は、第２９から第３１のいずれかの本発明のプログラムを記録した記録媒体であって、コンピュータにより処理可能な記録媒体である。
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４７
【補正方法】変更
【補正の内容】
【００４７】
（実施の形態１）
図１は、本発明の実施の形態１における番組配信システムの構成図である。図１において、番組配信システム１００は、番組および他の情報を放送する放送局１１０、放送局１１０からの信号を電波、有線等によって伝送されるテレビ１２０と、テレビ１２０と接続され、放送局１１０からの信号を受ける特典情報処理装置１３０とを備えている。
【手続補正３７】
【補正対象書類名】明細書
【補正対象項目名】００５０
【補正方法】変更
【補正の内容】
【００５０】
次に、特典情報処理装置は、テレビ１２０に接続して用いる手段であり、テレビ１２０の受信部１２１と同様、放送局１１０からの信号を受け取り、その内容をチェックするチェック手段１３１と、チェック手段１３１のチェック結果に基づき有効期限を演算する有効期間演算手段１３２と、有効期限に基づき所定のＩＤを算出するＩＤ算出手段１３３、放送局１１０から受信した、番組以外の、後述するＣＭ付加情報を一時蓄積するメモリ手段１３４、およびメモリ手段１３４から読み出した情報を、テレビ１２０の表示部１２２へスーパーインポーズ表示させるための表示手段１３５とを備えている。
【手続補正３８】
【補正対象書類名】明細書
【補正対象項目名】００６２
【補正方法】変更
【補正の内容】
【００６２】
次に、有効期間演算手段１３２は、チェック手段１３１の確認を受けて、現在ＣＭを受信している時刻を検出し、この時刻から応募期間を加算した、ＣＭ付加情報に記載された懸賞付きキャンペーンの応募締め切りまでの期間を有効期限として算出する。
【手続補正３９】
【補正対象書類名】明細書
【補正対象項目名】００６３
【補正方法】変更
【補正の内容】
【００６３】
次に、ＩＤ算出手段１３３は、有効期間演算手段１３２から有効期限を取得すると、これに基づきＩＤを算出する。このＩＤは、テレビ１２０が上記の時刻にＣＭを受信していることを、放送局１１０に対して証明するためのものである。なお、ＩＤ算出手段１３３は、有効期限の他に、ＣＭを受信している時刻から直接ＩＤを算出するようにしてもよい。
【手続補正４０】
【補正対象書類名】明細書
【補正対象項目名】００６４
【補正方法】変更
【補正の内容】
【００６４】
ＩＤ算出手段１３３がＩＤを生成すると、表示手段１３５は、メモリ手段１３４からＣＭ付加情報を読み出し、これから懸賞付きキャンペーンの内容を、特典情報として生成し、これと有効期間演算手段１３２にて算出された有効期限とＩＤとを画像信号として、テレビ１２０へ出力する。
【手続補正４１】
【補正対象書類名】明細書
【補正対象項目名】００６５
【補正方法】変更
【補正の内容】
【００６５】
テレビ１２０では、表示部１２２において、先に受信部１２１で受信したＣＭと、特典情報処理装置１３０から出力された特典情報、有効期限およびＩＤとを重ね合わせて表示する。テレビ１２０の視聴者には、表示部１２２に表示されているＣＭには、ＣＭに対応した懸賞付きキャンペーンが、その応募の締め切り、ＩＤとともに示される。
【手続補正４２】
【補正対象書類名】明細書
【補正対象項目名】００６９
【補正方法】変更
【補正の内容】
【００６９】
以上の動作において、ＣＭに応じた懸賞付きキャンペーンは、懸賞付きキャンペーンの内容やその応募期間が、ＣＭ付加情報としてＣＭとは別に送信されており、テレビ１２０にＣＭが受信された時に、特典情報として初めて視聴者に提供されるようになっており、しかも有効期限はテレビ１２０にＣＭが受信された時点始めて設定されるようになっている。この様子を図２を用いて説明する。
【手続補正４３】
【補正対象書類名】明細書
【補正対象項目名】００７６
【補正方法】変更
【補正の内容】
【００７６】
したがって、表示手段１３５は、有効期間演算手段１３２が演算した有効期限およびメモリ手段１３４から読み出した特典情報のみをテレビ１２０の表示部に表示させればよく、ＩＤの表示を行うことなく特典情報を提供することができる。なお、ネットワーク端末１４０の実施例としては、インターネットに接続したパソコンでもよいし、携帯電話等の携帯情報端末でも良い。また、特典情報処理装置１３０自体がネットワークに接続して通信できる機能を有していても良い。さらに、ネットワークはインターネットに限らず、イントラネット他のローカルネットワークでもよいし、電話回線でも良い。要するに、ＣＭの伝送が行われる伝送路と別であればよい。
【手続補正４４】
【補正対象書類名】明細書
【補正対象項目名】００８１
【補正方法】変更
【補正の内容】
【００８１】
次に、ＳＴＢ４３０は、デジタル放送を受信してテレビ４２０に表示させるための手段であり、デジタル放送局４１０からの信号を受信する受信部４３１と、受信部４３１が受信した放送の内容をチェックするチェック手段４３２と、チェック手段４３２のチェック結果に基づき有効期限を演算する有効期間演算手段４３３と、有効期限に基づき所定のＩＤを算出するＩＤ算出手段４３４、デジタル放送局４１０から受信した、番組以外の、後述するＣＭ付加情報を一時蓄積するメモリ手段４３５、およびメモリ手段４３５から読み出した情報を、テレビ４２０の表示部４２１へスーパーインポーズ表示させるための表示手段４３６、およびデジタル放送局４１０と双方向通信を行うための、視聴者からの入力が受付可能な入力手段４３７とを備えている。
【手続補正４５】
【補正対象書類名】明細書
【補正対象項目名】００８３
【補正方法】変更
【補正の内容】
【００８３】
はじめに、デジタル放送局４１０において、放送手段４１１はＣＭを放送する。このＣＭは、広告主が主催する懸賞付きキャンペーンと連動したものであり、視聴者は、ＣＭの内容に記載された応募先にＳＴＢ４３０の通信機能を用いて応募を行うことにより、広告主から賞品を獲得することができるものである。ただし懸賞付きキャンペーンの情報自体はＣＭには含まれていない。また、ＣＭはその放映期間、放映開始の時期および放映終了の時期は予め定められているものとする。また、本実施の形態において、懸賞付きキャンペーンの応募先はデジタル放送局４１０である。
【手続補正４６】
【補正対象書類名】明細書
【補正対象項目名】００９０
【補正方法】変更
【補正の内容】
【００９０】
次に、有効期間演算手段４３３は、チェック手段４３２の確認を受けて、現在ＣＭを受信している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【手続補正４７】
【補正対象書類名】明細書
【補正対象項目名】００９１
【補正方法】変更
【補正の内容】
【００９１】
次に、ＩＤ算出手段４３４は、有効期間演算手段４３３から有効期限を取得すると、これに基づきＩＤを算出する。このＩＤは、テレビ４２０が上記の時刻にＣＭを受信していることを、デジタル放送局４１０に対して証明するためのものである。なお、ＩＤ算出手段４３４は、有効期限の他に、ＣＭを受信している時刻から直接ＩＤを算出するようにしてもよい。
【手続補正４８】
【補正対象書類名】明細書
【補正対象項目名】００９３
【補正方法】変更
【補正の内容】
【００９３】
次に、表示手段４３６は、メモリ手段４３５からＣＭ付加情報を読み出し、これから懸賞付きキャンペーンの内容を特典情報として生成し、これと有効期間演算手段４３３にて算出された有効期限を画像信号として、先に受信部４３１で受信したＣＭを重ね合わせ、ＡＶ信号としてテレビ４２０へ出力する。
【手続補正４９】
【補正対象書類名】明細書
【補正対象項目名】００９４
【補正方法】変更
【補正の内容】
【００９４】
テレビ４２０では、特典情報、有効期限およびＣＭが同一画面に収まった画像を表示部４２１に表示する。
【手続補正５０】
【補正対象書類名】明細書
【補正対象項目名】０１０７
【補正方法】変更
【補正の内容】
【０１０７】
以後、放送局１１０からＣＭの放送が開始されてから、表示部１２２に特典情報および有効期限が表示されるまでの動作は、実施の形態１の図３に示す構成例と同様に行われる。
【手続補正５１】
【補正対象書類名】明細書
【補正対象項目名】０１１８
【補正方法】変更
【補正の内容】
【０１１８】
次に、ＳＴＢ７３０は、デジタル放送をテレビ７２０に表示させるための手段であり、デジタル放送局７１０からの信号を受信する受信部７３１と、ＨＤＤレコーダ７４０から出力された放送の内容をチェックするチェック手段７３２と、チェック手段７３２のチェック結果に基づき有効期限を演算する有効期間演算手段７３３と、有効期限に基づき所定のＩＤを算出するＩＤ算出手段７３４、ＨＤＤレコーダ７４０から出力された、番組以外の、後述するＣＭ付加情報を一時蓄積するメモリ手段７３５、およびメモリ手段７３５から読み出した情報を、テレビ７２０の表示部７２１へスーパーインポーズ表示させるための表示手段７３６、およびデジタル放送局７１０と双方向通信を行うための、視聴者からの入力が受付可能な入力手段７３７とを備えている。
【手続補正５２】
【補正対象書類名】明細書
【補正対象項目名】０１２１
【補正方法】変更
【補正の内容】
【０１２１】
はじめに、デジタル放送局７１０において、放送手段７１１はＣＭを放送する。このＣＭは、広告主が主催する懸賞付きキャンペーンと連動したものであり、視聴者は、ＣＭの内容に記載された応募先にＳＴＢ７３０の通信機能を用いて応募を行うことにより、広告主から賞品を獲得することができるものである。ただし懸賞付きキャンペーンの情報自体はＣＭには含まれていない。また、ＣＭはその放映期間、放映開始の時期および放映終了の時期は予め定められているものとする。また、本実施の形態において、懸賞付きキャンペーンの応募先はデジタル放送局７１０である。
【手続補正５３】
【補正対象書類名】明細書
【補正対象項目名】０１２８
【補正方法】変更
【補正の内容】
【０１２８】
通常、ＳＴＢ７３０において、チェック手段７３２は、プログラムストリームの情報部分を参照して、ＨＤＤレコーダ７４０から再生された番組のチャンネルをチェックし、再生時刻をチェックしている。このとき、チェックは、先にメモリ手段４３５に一時記録したＣＭ付加情報を参照して行われ、この動作は、ＳＴＢ７３０が動作している間行われ、チェック手段７３２は、ＨＤＤレコーダ７４０の再生動作を、視聴者がテレビ７２０にて番組を視聴しているものと見なす。
【手続補正５４】
【補正対象書類名】明細書
【補正対象項目名】０１２９
【補正方法】変更
【補正の内容】
【０１２９】
次にＨＤＤレコーダ７４０が、ＣＭ付加情報と関連づけられているＣＭのプログラムストリームを再生すると、チェック手段７３２は、メモリ手段７３５内のＣＭ付加情報を参照し、ＣＭのチャンネルが、ＨＤＤレコーダ７４０から再生されているＣＭのチャンネルと一致し、またＣＭ付加情報に記載されたＣＭの放送期間が、ＨＤＤレコーダ７４３がＣＭを再生している時刻を含んでいることを確認する。
【手続補正５５】
【補正対象書類名】明細書
【補正対象項目名】０１３０
【補正方法】変更
【補正の内容】
【０１３０】
次に、有効期間演算手段７３３は、チェック手段７３２の確認を受けて、ＨＤＤレコーダ７４０が現在ＣＭを再生している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【手続補正５６】
【補正対象書類名】明細書
【補正対象項目名】０１３１
【補正方法】変更
【補正の内容】
【０１３１】
次に、ＩＤ算出手段７３４は、有効期間演算手段７３３から有効期限を取得すると、これに基づきＩＤを算出する。このＩＤは、テレビ７２０が上記の時刻にＣＭを表示していることを、デジタル放送局７１０に対して証明するためのものである。なお、ＩＤ算出手段７３４は、有効期限の他に、ＨＤＤレコーダ７４０がＣＭを再生開始した時刻から直接ＩＤを算出するようにしてもよい。
【手続補正５７】
【補正対象書類名】明細書
【補正対象項目名】０１３３
【補正方法】変更
【補正の内容】
【０１３３】
次に、表示手段７３６は、メモリ手段７３５からＣＭ付加情報を読み出し、これから懸賞付きキャンペーンの内容を特典情報として生成し、これと有効期間演算手段７３３にて算出された有効期限を画像信号として、ＨＤＤレコーダ７４０から再生されたＣＭを重ね合わせ、ＡＶ信号としてテレビ７２０へ出力する。
【手続補正５８】
【補正対象書類名】明細書
【補正対象項目名】０１４０
【補正方法】変更
【補正の内容】
【０１４０】
図８において、番組再生装置８１０は、ＤＶＤ８１１を再生する再生部８１２を有する再生ブロック８１９、再生ブロック８１９から出力された番組コンテンツの内容をチェックするチェック手段８１３、チェック手段８１３のチェック結果に基づき有効期限を演算する有効期間演算手段８１４、有効期限に基づき所定のＩＤを算出するＩＤ算出手段８１５、再生ブロック８１９から出力された、番組以外の、後述するＣＭ付加情報を一時蓄積するメモリ手段８１６、およびメモリ手段８１６から読み出した情報を、テレビ８２０の表示部８２１へスーパーインポーズ表示させるための表示手段８１７、およびＤＶＤ８１１内の番組コンテンツ提供先８３０と双方向通信を行うための、視聴者からの入力が受付可能な入力手段８１８とを備えている。
【手続補正５９】
【補正対象書類名】明細書
【補正対象項目名】０１４９
【補正方法】変更
【補正の内容】
【０１４９】
チェック手段８１３は、再生ブロック８１９が番組コンテンツの再生を行う再生時間をチェックする。このとき、チェックは、先にメモリ手段８１６に一時記録したＣＭ付加情報を参照して行われ、この動作は、番組再生装置８１０が動作している間行われ、チェック手段８１３は、再生ブロック８１９の再生動作を、視聴者がテレビ８２０にて番組を視聴しているものと見なす。
【手続補正６０】
【補正対象書類名】明細書
【補正対象項目名】０１５０
【補正方法】変更
【補正の内容】
【０１５０】
次に再生ブロック８１９が、ＣＭ付加情報と関連づけられているＣＭの番組コンテンツを再生すると、チェック手段８１３は、メモリ手段８１６内のＣＭ付加情報を参照し、ＣＭ付加情報に記載されたＣＭの有効期間が、再生ブロック８１９がＣＭを再生している時刻を含んでいることを確認する。
【手続補正６１】
【補正対象書類名】明細書
【補正対象項目名】０１５１
【補正方法】変更
【補正の内容】
【０１５１】
次に、有効期間演算手段８１４は、チェック手段８１３の確認を受けて、再生ブロック８１９が現在ＣＭを再生している時刻（これは本発明の視聴時間の一例であって、日、時間帯であってもよい）を検出し、この時刻から応募期間を加算した、ＣＭ付加情報に記載された懸賞付きキャンペーンの応募締め切りまでの期間を有効期限として算出する。
【手続補正６２】
【補正対象書類名】明細書
【補正対象項目名】０１５２
【補正方法】変更
【補正の内容】
【０１５２】
次に、ＩＤ算出手段８１５は、有効期間演算手段８１４から有効期限を取得すると、これに基づきＩＤを算出する。このＩＤは、テレビ８２０が上記の時刻にＣＭを再生していることを、番組コンテンツ提供先８３０に対して証明するためのものである。なお、ＩＤ算出手段８１５は、有効期限の他に、再生ブロック８１９がＣＭを再生開始した時刻から直接ＩＤを算出するようにしてもよい。
【手続補正６３】
【補正対象書類名】明細書
【補正対象項目名】０１５４
【補正方法】変更
【補正の内容】
【０１５４】
次に、表示手段８１７は、メモリ手段８１６からＣＭ付加情報を読み出し、これから懸賞付きキャンペーンの内容を特典情報として生成し、これと有効期間演算手段８１４にて算出された有効期限を画像信号として、再生ブロック８１９から再生されたＣＭを重ね合わせ、ＡＶ信号としてテレビ８２０へ出力する。
【手続補正６４】
【補正対象書類名】明細書
【補正対象項目名】０１５７
【補正方法】変更
【補正の内容】
【０１５７】
なお、上記の各実施の形態において、視聴者が応募の電子メールや郵便、応募情報を送信する先（放送局１１０，デジタル放送局４１０、７１０，広告主５１０、番組コンテンツ提供先８３０）は逆算手段１１２，５１２等を必ず有しているものとして説明を行ったが、応募先または送信は必ずしも逆算手段を備えている必要はなく、応募先または送信先が一端視聴者からの応募の電子メールや郵便、応募情報を集計した後、逆算手段を有する第３者の機関に転送して、ＩＤの照合を行ってもらうようにしてもよい。すなわち、逆算手段は別構成としておいてもよい。
【手続補正６５】
【補正対象書類名】明細書
【補正対象項目名】０１５９
【補正方法】変更
【補正の内容】
【０１５９】
また、表示手段１３５，４３６，７３６は、ＩＤの表示を省略して、有効期限と特典に関する情報だけを表示するようにしてもよし、さらに特典に関する情報だけを表示するようにしてもよい。